(57)【要約】【課題】  色柄物衣類に使用可能で、泥汚れに対し高い洗浄力を示す液体漂白剤及び洗浄方法の提供。【解決手段】  過酸化水素（以下（ａ）成分という）及び水を含有し、（ａ）成分の含有量が０．１〜１０質量％である組成物からなるＡ剤と、次亜塩素酸及び次亜塩素酸塩から選ばれる１種以上（以下（ｂ）成分という）並びに水を含有し、（ｂ）成分の含有量が０．０１〜５質量％である組成物からなるＢ剤とを、分離して容器に収容してなり、（ａ）成分／（ｂ）成分のモル比が１０００／１〜１／１となるように用いられる２剤型液体漂白剤、、並びに上記Ａ剤及びＢ剤を、（ａ）成分／（ｂ）成分のモル比が１０００／１〜１／１となるように混合した液を洗浄対象に処理する洗浄方法。【選択図】なし【特許請求の範囲】
【請求項１】
過酸化水素（以下（ａ）成分という）及び水を含有し、（ａ）成分の含有量が０．１〜１０質量％である組成物からなるＡ剤と、次亜塩素酸及び次亜塩素酸塩から選ばれる１種以上（以下（ｂ）成分という）並びに水を含有し、（ｂ）成分の含有量が０．０１〜５質量％である組成物からなるＢ剤とを、分離して容器に収容してなり、（ａ）成分／（ｂ）成分のモル比が１０００／１〜１／１となるように用いられる２剤型液体漂白剤。
【請求項２】
Ａ剤の２０℃におけるｐＨが１〜７であり、Ｂ剤の２０℃におけるｐＨが１０以上であり、Ａ剤とＢ剤を混合すると発泡する、請求項１記載の２剤型液体漂白剤。
【請求項３】
請求項１記載のＡ剤と、請求項１記載のＢ剤を、（ａ）成分／（ｂ）成分のモル比が１０００／１〜１／１となるように混合した液を洗浄対象に処理する、洗浄方法。
【発明の詳細な説明】
【技術分野】
【０００１】
本発明は、２剤型液体漂白剤及び洗浄方法に関する。
【背景技術】
【０００２】
家庭での衣類洗濯において落としきれない頑固な汚れとして、衣類や靴下等の泥汚れが挙げられる。泥汚れを落とすために、一般家庭では、固形石鹸を直接汚れにこすりつけ、更に手揉み洗いをするなどして洗浄力を高める工夫が行われているが、労力がかかる上に、完全に汚れを除去しきれないという課題が残る。
【０００３】
泥汚れを落とす洗浄剤として、特許文献１には、特定脂肪酸を含む液体洗浄剤組成物が開示されている。また、特許文献２にはセルラーゼを活用した洗浄剤組成物、特許文献３には漂白成分を含んだ洗浄剤の応用が開示されている。しかしながら、衣類や靴下等の繊維内部に入り込んだ無機粒子を含む泥汚れなどは除去し難く、洗浄力の更なる向上が望まれている。
【０００４】
洗浄力を高める方法として、特許文献４及び５には、炭酸塩と有機酸による炭酸ガスの発生反応を応用した粉末、顆粒、錠剤、固体タイプの洗浄剤が開示されている。また、特許文献６及び７には、ヒドラジン類と過酸化物との反応を応用した発熱発泡型洗浄剤も開示されている。
【特許文献１】特開２００１−４９２９８号公報
【特許文献２】特開２０００−３１９６８８号公報
【特許文献３】特開２００５−３１４５７６号公報
【特許文献４】特開昭６１−５３３９５号公報
【特許文献５】特開昭６１−２２８１００号公報
【特許文献６】特開平６−２００２９５号公報
【特許文献７】特開平６−３２９９号公報
【発明の開示】
【発明が解決しようとする課題】
【０００５】
上記特許文献４及び５に記載される洗浄剤に関しては、炭酸ガスは主に衣類や靴下等の繊維外部で発生するため、繊維内部に入り込んだ無機粒子を含む泥汚れに対しては洗浄力が十分ではない。また、上記特許文献６及び７に記載される洗浄剤に関しては、ヒドラジン類はアンモニアに似た刺激臭を有する化合物であるため、一般家庭での洗浄剤として利用するには課題が残る。
【０００６】
本発明の課題は、色柄物衣類に使用可能であるとともに、衣類や靴下等の繊維内部に入り込んだ無機粒子を含む泥汚れなどに対し高い洗浄力を示す液体漂白剤及び洗浄方法を提供することにある。
【課題を解決するための手段】
【０００７】
本発明は、過酸化水素（以下（ａ）成分という）及び水を含有し、（ａ）成分の含有量が０．１〜１０質量％である組成物からなるＡ剤と、次亜塩素酸及び次亜塩素酸塩から選ばれる１種以上（以下（ｂ）成分という）並びに水を含有し、（ｂ）成分の含有量が０．０１〜５質量％である組成物からなるＢ剤とを、分離して容器に収容してなり、（ａ）成分／（ｂ）成分のモル比が１０００／１〜１／１となるように用いられる２剤型液体漂白剤を提供する。
【０００８】
また、本発明は、上記Ａ剤及びＢ剤を、（ａ）成分／（ｂ）成分のモル比が１０００／１〜１／１となるように混合した液を洗浄対象に処理する、洗浄方法を提供する。
【発明の効果】
【０００９】
本発明の２剤型液体漂白剤及び洗浄方法によれば、色柄物衣類に使用可能であるとともに、衣類や靴下等の繊維内部に入り込んだ無機粒子を含む泥汚れなどに対して高い洗浄力を発揮することができる。
【発明を実施するための最良の形態】
【００１０】
＜Ａ剤＞
本発明の２剤型液体漂白剤に用いるＡ剤は、（ａ）成分である過酸化水素及び水を含有する組成物からなる。
Ａ剤中の（ａ）成分の含有量は、漂白力を高めるために好ましくは０．１〜１０質量％、より好ましくは０．５〜６質量％、更に好ましくは１〜４質量％が好適である。
【００１１】
また、本発明では、Ａ剤中に酸剤を含有することが好ましい。ここで、本発明でいう「酸剤」とは、２０℃の１Ｌイオン交換水に１ｇ以上溶解し、且つ１ｇ／１Ｌの濃度の２０℃におけるｐＨが５以下の物質が好ましい。また、本発明の酸剤としては、水中における酸解離定数ｐＫaが１〜８の範囲内で２箇所以上ある化合物が好ましい。ここで本発明でいう酸解離定数は「化学便覧基礎編II」（改訂３版、日本化学会編）のII−３３８頁〜II−３４２頁に記載の通りである。
【００１２】
具体的に好ましい酸剤としては、
（１）リン酸、トリポリリン酸、フィチン酸（イノシン酸）等のリン酸系化合物
（２）ホスホン酸、エタン−１，１−ジホスホン酸、エタン−１，１，２−トリホスホン酸、エタン−１−ヒドロキシ−１，１−ジホスホン酸及びその誘導体、エタンヒドロキシ−１，１，２−トリホスホン酸、エタン−１，２−ジカルボキシ−１，２−ジホスホン酸、メタンヒドロキシホスホン酸、アミノポリ（メチレンホスホン酸）等のホスホン酸系化合物
（３）２−ホスホノブタン−１，２−ジカルボン酸、１−ホスホノブタン−２，３，４−トリカルボン酸、α−メチルホスホノコハク酸等のホスホノポリカルボン酸系化合物
（４）エチレンジアミン二酢酸、ヒドロキシエチルイミノ二酢酸、イミノ二酢酸、ニトリロ三酢酸、エチレンジアミン四酢酸、ジエチレントリアミン五酢酸、グリコールエーテルジアミン四酢酸、トリエチレンテトラミン六酢酸、ジェンコール酸等のアミノポリカルボン酸系化合物
（５）アスパラギン酸、グルタミン酸、グリシン等のアミノ酸
（６）クエン酸、コハク酸、マレイン酸、フタル酸、テレフタル酸、イソフタル酸、フマル酸、アジピン酸、アゼライン酸、ジグリコール酸、オキシジコハク酸、カルボキシメチルオキシコハク酸、クエン酸、乳酸、酒石酸、シュウ酸、グルタル酸、リンゴ酸、グルコン酸、カルボキシメチルコハク酸、カルボキシメチル酒石酸などの有機酸
（７）メタホウ酸、オルトホウ酸などのホウ酸
（８）硫酸、硝酸
が挙げられる。
【００１３】
これらのうちＡ剤に配合する上で好ましい酸剤は、エタン−１−ヒドロキシ−１，１−ジホスホン酸及びエタン−１，１−ジホスホン酸から選ばれる１種以上である。
【００１４】
これらの酸剤は、後述する金属イオン封鎖剤として使用されるものであってもよい。
【００１５】
Ａ剤中の酸剤の含有量は、貯蔵安定性の観点から、好ましくは０．１〜１０質量％、より好ましくは０．２〜５質量％、更に好ましくは０．２〜３質量％が好適である。
【００１６】
本発明のＡ剤は水を含有する。水は、蒸留水又はイオン交換水が好ましい。Ａ剤中の水の含有量は、各成分を均一溶解するために、好ましくは５０〜９９質量％、より好ましくは６０〜９５質量％が好適である。
【００１７】
本発明では、Ａ剤中に、更にエステル基、イミド基又はニトリル基を有する漂白活性化剤を好ましくは０．０５〜１０質量％、より好ましくは０．１〜５質量％、更に好ましくは０．１〜１質量％添加することで、より優れた効果を得ることができる。
【００１８】
特に漂白活性化剤としては下記一般式（１）で示される化合物が好ましい。
【００１９】
【化１】
2010132759.tif 000002
【００２０】
〔式中、Ｒ1は直鎖又は分岐鎖の炭素数５〜１９のアルキル基又はアルケニル基を示し、Ｚは−ＳＯ3Ｍ又はＣＯＯＭを示す。また、Ｍは有機又は無機の陽イオンを示す。〕
具体的に好ましい例としては、オクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００２１】
これらの中でも、特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が、親油性汚れ漂白効果の点から好ましい。
【００２２】
一般式（１）の漂白活性化剤をＡ剤に配合する場合、安定化のために特開平６−２０７１９６号公報、特開平７−８２５９１号公報、特開平７−２１６３９７号公報、及び特開平７−３３１２８９号公報等に記載された安定化技術を用いることが好ましい。
【００２３】
＜Ｂ剤＞
本発明の２剤型液体漂白剤に用いるＢ剤は、（ｂ）成分である次亜塩素酸及び次亜塩素酸塩から選ばれる１種以上と水を含有する組成物からなる。
【００２４】
Ｂ剤に含有される（ｂ）成分は、Ａ剤に含有される（ａ）成分と反応して酸素を発生する。
【００２５】
本発明では、繊維内部に浸透したＡ剤とＢ剤が反応し発泡することで、繊維を押し広げ、繊維内部に閉じ込められた無機粒子などを押し出すことにより、泥汚れに対し高い洗浄力が得られる。
【００２６】
Ｂ剤中の（ｂ）成分の含有量は、洗浄性能を高めるために、好ましくは０．０１〜５質量％、より好ましくは０．０５〜５質量％、更に好ましくは０．５〜５質量％が好適である。（ｂ）成分としては、次亜塩素酸ナトリウムが好ましい。
【００２７】
本発明の２剤型液体漂白剤においては、より優れた効果を得る上で、Ａ剤に漂白活性化剤を含有する場合、特に前記一般式（１）で示される漂白活性化剤を含有する場合、Ｂ剤に更にアミンオキシド型界面活性剤を好ましくは０．０１〜５０質量％、より好ましくは０．１〜２０質量％、更に好ましくは０．５〜５質量％含有することで、漂白活性化剤から生成する有機過酸の生成率が向上するため、より優れた漂白力を得ることができる。
アミンオキシド型界面活性剤としては下記一般式（２）で示されるものが最も優れた漂白効果を発揮することができる。
【００２８】
【化２】
2010132759.tif 000003
【００２９】
〔式中、Ｒ2、Ｒ3及びＲ4のうち少なくとも１つは、エステル結合、アミド結合又はエーテル結合で中断されていてもよい直鎖又は分岐鎖の炭素数６〜２２、好ましくは８〜２０、特に好ましくは８〜１５のアルキル基又はアルケニル基を示し、その他の基は炭素数１〜５、好ましくは１〜３のアルキル基又はヒドロキシアルキル基を示す。〕。
【００３０】
特には下記一般式（２−ａ）の化合物から選ばれる化合物が好ましい。
【００３１】
【化３】
2010132759.tif 000004
【００３２】
〔式中、Ｒ5は炭素数８〜１６、好ましくは１０〜１６、特に好ましくは１０〜１４の直鎖アルキル基又はアルケニル基であり、Ｒ7及びＲ8は、それぞれ独立に炭素数１〜３のアルキル基又はヒドロキシアルキル基である。Ｒ6は炭素数１〜５、好ましくは２又は３のアルキレン基である。Ａは−ＣＯＯ−、−ＣＯＮＨ−、−ＯＣＯ−、−ＮＨＣＯ−及び−Ｏ−から選ばれる基であり、ａは０又は１、好ましくは１である。〕
本発明のＢ剤には洗浄効果を高める目的で更に溶剤を配合することが好ましい。溶剤としては（i）炭素数１〜５の１価アルコール、（ii）炭素数２〜１２の多価アルコール、（iii）下記の一般式（３）で表される化合物、（iv）下記の一般式（４）で表される化合物、（v）下記の一般式（５）で表される化合物が好ましい。
【００３３】
【化４】
2010132759.tif 000005
【００３４】
〔式中、Ｒ9及びＲ10は、それぞれ独立に水素原子、炭素数１〜６のアルキル基、フェニル基又はベンジル基を示すが、Ｒ9及びＲ10の双方が水素原子となる場合を除く。ｂは０〜１０の数を、ｃは０〜１０の数を示すが、ｂ及びｃの双方が０である場合を除く。Ｒ11及びＲ12は、それぞれ炭素数１〜３のアルキル基を示す。Ｒ13は炭素数１〜８のアルキル基を示す。〕。
【００３５】
（i）の炭素数１〜５の１価アルコールとしては、一般的にエタノール、プロピルアルコール、イソプロピルアルコール等が挙げられる。これらの低級アルコールを配合することにより低温における系の安定性を更に向上させることができる。
【００３６】
（ii）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００３７】
（iii）の化合物は、一般式（３）において、Ｒ9、Ｒ10がアルキル基である場合の炭素数は１〜４が特に好ましい。また、一般式（３）中、エチレンオキシド及びプロピレンオキシドの平均付加モル数のｂ及びｃは、それぞれ０〜１０の数である（ｂ及びｃの双方が０である場合を除く）が、これらの付加順序は特に限定されず、ランダム付加したものでもブロック付加したものでもよい。（iii）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）グリコールモノフェニルエーテルが好ましい。
【００３８】
また、（iv）の化合物としては、１，３−ジメチル−２−イミダゾリジノン及び１，３−ジエチル−２−イミダゾリジノンが好適なものとして例示され、
（v）の化合物としては、アルキルグリセリルエーテル化合物が好適なものとして例示され、好ましくはＲ13が炭素数３〜８のアルキル基の化合物である。
【００３９】
これらの中でも、本発明の性質を満たすために（i）、（ii）、（iii）及び（v）の水溶性溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテル及びポリオキシエチレン（ｐ＝１〜４）グリコールモノフェニルエーテルから選ばれる１種以上の溶剤が好ましい。
【００４０】
本発明のＢ剤は洗浄力と使用感の点から、このような溶剤を好ましくは０〜２０質量％、より好ましくは５〜２０質量％含有することが好適である。
【００４１】
＜その他の成分＞
本発明では、Ａ剤及び／又はＢ剤に、洗浄漂白効果を高める目的から、界面活性剤を配合することが好ましい。界面活性剤としては非イオン界面活性剤、陽イオン界面活性剤、陰イオン界面活性剤及び両性界面活性剤から選ばれる１種以上が好ましい。
【００４２】
非イオン界面活性剤としては、一般式（６）の化合物が好ましい。
【００４３】
Ｒ14−Ｔ−[(Ｒ15Ｏ)d−Ｈ]e      （６）
〔式中、Ｒ14は、好ましくは炭素数８〜２０、より好ましくは１０〜１８、更に好ましくは１０〜１６のアルキル基又はアルケニル基であり、Ｒ15は炭素数２又は３のアルキレン基、好ましくはエチレン基である。ｄは好ましくは２〜２０、より好ましくは４〜１５、更に好ましくは５〜１０の数を示す。ｅは１又は２の数を示す。Ｔは−Ｏ−、−ＣＯＮ−又は−Ｎ−であり、Ｔが−Ｏ−の場合はｂは１であり、Ｔが−ＣＯＮ−又は−Ｎ−の場合はｅは２である。〕
一般式（６）の化合物の具体例として、下記の化合物を挙げることができる。
【００４４】
Ｒ14−Ｏ−(Ｃ2Ｈ4Ｏ)f−Ｈ        （６−ａ）
〔式中、Ｒ14は前記の意味を示す。ｆは４〜１５、好ましくは５〜１０の数である。〕
Ｒ14−Ｏ−(Ｃ2Ｈ4Ｏ)g−(Ｃ3Ｈ6Ｏ)h−Ｈ    （６−ｂ）
〔式中、Ｒ14は前記の意味を示す。ｇ及びｈは、それぞれ独立に２〜１５、好ましくは２〜１０の数であり、エチレンオキシドとプロピレンオキシドはランダムあるいはブロック付加体であってもよい。〕
【００４５】
【化５】
2010132759.tif 000006
【００４６】
〔式中、Ｒ14は前記の意味を示す。Ｒ16はメチル基、エチル基又は−(Ｃ2Ｈ4Ｏ)i−Ｈである。また、Ｒ17は−(Ｃ2Ｈ4Ｏ)j−Ｈである。ｉ及びｊは、それぞれ独立に０〜５の数であり、ｉ＋ｊは１〜６である。〕。
【００４７】
本発明では、これらの中でも、特に（６−ａ）及び（６−ｂ）から選ばれる１種以上の非イオン界面活性剤が好ましい。
【００４８】
陽イオン界面活性剤としては、下記一般式（７）のモノ長鎖アルキル（もしくはアルケニル）トリ短鎖アルキル型陽イオン界面活性剤が好ましい。
【００４９】
【化６】
2010132759.tif 000007
【００５０】
〔式中、Ｒ18は好ましくは炭素数８〜１８、より好ましくは１０〜１８、更に好ましくは１０〜１６のアルキル基又はアルケニル基であり、Ｒ19、Ｒ20及びＲ21は、それぞれ独立に炭素数１〜３のアルキル基である。Ｘ-は陰イオン、好ましくはハロゲンイオン、炭素数１〜３のアルキル硫酸エステルイオン、炭素数１〜１２の脂肪酸イオン又は炭素数１〜３の置換基を１〜３個有していてもよいアリールスルホン酸イオンである。〕。
【００５１】
両性界面活性剤としては、前記一般式（２）で示されるアミンオキシド型界面活性剤の他に、下記一般式（８）で示される化合物を用いてもよい。
【００５２】
【化７】
2010132759.tif 000008
【００５３】
〔式中、Ｒ22は好ましくは炭素数９〜２３、より好ましくは９〜１７、更に好ましくは１０〜１６のアルキル基又はアルケニル基であり、Ｒ23は好ましくは炭素数１〜６、より好ましくは１〜４、更に好ましくは２又は３のアルキレン基である。Ｂは−ＣＯＯ−、−ＣＯＮＨ−、−ＯＣＯ−、−ＮＨＣＯ−及び−Ｏ−から選ばれる基であり、ｋは０又は１の数、好ましくは０である。Ｒ24及びＲ25は、それぞれ独立に炭素数１〜３のアルキル基又はヒドロキシアルキル基、好ましくはメチル基、エチル基又はヒドロキシエチル基であり、Ｒ26はヒドロキシ基で置換していてもよい炭素数１〜５、好ましくは１〜３のアルキレン基である。Ｄは、−ＳＯ3-又は−ＯＳＯ3-であり、特に−ＳＯ3-が洗浄漂白効果の点から良好である。〕。
【００５４】
陰イオン界面活性剤としては、分子中に好ましくは炭素数１０〜１８、より好ましくは１０〜１６、更に好ましくは１０〜１５のアルキル基又はアルケニル基と、−ＳＯ3Ｍ基又は−ＯＳＯ3Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、ポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が好ましくは１〜６、より好ましくは１〜４、更に好ましくは１〜３であるポリオキシエチレンアルキル（又はアルケニル）エーテル硫酸エステル、炭素数１０〜１５のアルキル基を有するアルキルベンゼンスルホン酸、及びこれらの塩から選ばれる１種以上を配合することが好ましい。塩としては、ナトリウム塩、カリウム塩、アンモニウム塩又はアルカノールアミン塩が貯蔵安定性の点から好適である。
【００５５】
本発明のＡ剤は、洗浄漂白効果の点から、非イオン界面活性剤を好ましくは０．５〜１５質量％、より好ましくは１〜１０質量％含有することが好適であり、陽イオン界面活性剤を好ましくは０．１〜２質量％、より好ましくは０．１〜１質量％含有することが好適であり、両性界面活性剤を好ましくは０〜１０質量％、より好ましくは０．１〜５質量％含有することが好適である。
【００５６】
また、本発明のＢ剤は、洗浄効果の点から、非イオン界面活性剤を好ましくは０〜４０質量％、より好ましくは１〜３５質量％含有することが好適であり、陰イオン界面活性剤を好ましくは０〜３０質量％、より好ましくは０．１〜１０質量％含有することが好適である。また、両性界面活性剤を好ましくは０〜１５質量％、より好ましくは０．５〜５質量％含有することが好適であり、陽イオン界面活性剤を好ましくは０〜１０質量％、より好ましくは０．１〜５質量％含有することが好適である。なお、一般式（２）のアミンオキシド型界面活性剤はＢ剤に配合することが好ましい。
【００５７】
本発明では、Ａ剤及び／又はＢ剤に、洗浄性を向上させる目的から、アクリル酸、メタクリル酸、又はマレイン酸を重合して得られるホモポリマー若しくはこれらのモノマーからなるコポリマー、又はこれらのモノマーと共重合可能な他のモノマーとのコポリマー等のカルボン酸系ポリマーを配合することが好ましい。
【００５８】
これらのカルボン酸系ポリマーの重量平均分子量は、好ましくは３，０００〜１００，０００、より好ましくは５，０００〜８０，０００である。重量平均分子量は、ポリエチレングリコールを標準物質としてゲルパーミエーションクロマトグラフィーで求めることが出来る。
【００５９】
また、このようなカルボン酸系ポリマーは一部及び／又は全部がアルカリ剤で中和された塩の状態であっても差し支えない。アルカリ剤としては、ナトリウム、カリウム等のアルカリ金属を含む化合物が好ましい。
【００６０】
具体的には、好ましくは重量平均分子量３，０００〜３０，０００のポリアクリル酸ナトリウム（若しくはカリウム）又はポリメタクリル酸ナトリウム（若しくはカリウム）、あるいは好ましくは重量平均分子量２０，０００〜１００，０００、より好ましくは５０，０００〜８０，０００のアクリル酸−マレイン酸コポリマーのナトリウム塩（もしくはカリウム塩）が良好である。アクリル酸−マレイン酸コポリマーの場合は、アクリル酸／マレイン酸が質量比で５／５〜９／１、好ましくは６／４〜８／２が洗浄効果の点から好適である。
【００６１】
本発明において、上記カルボン酸系ポリマーの含有量は、Ａ剤中、好ましくは０〜１０質量％、より好ましくは０．１〜７質量％であり、Ｂ剤中、好ましくは０．５〜１０質量％、より好ましくは１〜８質量％である。
【００６２】
更に、本発明のＡ剤及び／又はＢ剤は金属イオン封鎖剤を含有することが好ましい。本発明に用いられる金属イオン封鎖剤としては、下記（i）〜（viii）のものが挙げられ、なかでも（ii）、（ｖ）、（vi）及び（vii）から選ばれる少なくとも１種が好ましく、（ii）から選ばれる少なくとも１種が更に好ましい。
（i）フィチン酸等のリン酸系化合物のアルカリ金属塩もしくはアルカノールアミン塩
（ii）エタン−１，１−ジホスホン酸、エタン−１，１，２−トリホスホン酸、エタン−１−ヒドロキシ−１，１−ジホスホン酸及びその誘導体、エタンヒドロキシ−１，１，２−トリホスホン酸、エタン−１，２−ジカルボキシ−１，２−ジホスホン酸、メタンヒドロキシホスホン酸等のホスホン酸のアルカリ金属塩もしくはアルカノールアミン塩
（iii）２−ホスホノブタン−１，２−ジカルボン酸、１−ホスホノブタン−２，３，４−トリカルボン酸、α−メチルホスホノコハク酸等のホスホノカルボン酸のアルカリ金属塩もしくはアルカノールアミン塩
（iv）アスパラギン酸、グルタミン酸、グリシン等のアミノ酸のアルカリ金属塩もしくはアルカノールアミン塩
（ｖ）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸のアルカリ金属塩もしくはアルカノールアミン塩
（vi）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸のアルカリ金属塩もしくはアルカノールアミン塩
（vii）ゼオライトＡに代表されるアルミノケイ酸のアルカリ金属塩又はアルカノールアミン塩
（viii）アミノポリ（メチレンホスホン酸）のアルカリ金属塩もしくはアルカノールアミン塩、又はポリエチレンポリアミンポリ（メチレンホスホン酸）のアルカリ金属塩もしくはアルカノールアミン塩。
【００６３】
このような金属イオン封鎖剤の含有量は、Ｂ剤中に好ましくは０〜５質量％、更に好ましくは０．０１〜１質量％である。
【００６４】
本発明のＡ剤及び／又はＢ剤には、上記成分の他に、洗浄剤に通常添加される公知の成分を添加することができる。例えば、過酸化水素の安定化剤として公知の硫酸マグネシウム、珪酸マグネシウム、塩化マグネシウム、ケイフッ化マグネシウム、酸化マグネシウム及び水酸化マグネシウム等のマグネシウム塩、及び珪酸ソーダのような珪酸塩類を用いることが好ましい。更に、必要に応じてカルボキシメチルセルロース、ポリビニルピロリドン、ポリエチレングリコールのような再汚染防止剤等を添加することが好ましい。
【００６５】
また、本発明のＡ剤及び／又はＢ剤には、更に種々の化合物を含有させることができる。例えば、過酸化水素の安定化剤として知られているリン酸、バルビツール酸、尿酸、アセトアニリド、オキシキノリンやフェナセチン等に代表されるアミノポリカルボン酸類、及び、ＤＬ−α−トコフェロール、没食子酸誘導体、ブチル化ヒドロキシアニソール（ＢＨＡ）、２，６−ジ−tert−ブチル−４−メチルフェノール（ＢＨＴ）等を添加することが好ましい。これらの安定化剤はＡ剤及び／又はＢ剤中に、好ましくは０〜５質量％、より好ましくは０．０１〜３質量％含有させるのが好適である。
【００６６】
また、本発明のＡ剤及び／又はＢ剤には、変退色防止剤として公知の物質を含むことが好ましい。このような物質としてはフェニルアラニン、ヒスチジン、リジン、チロシン、メチオニン等のアミノ酸及びアミノ酸塩類、及びヒドロキシイミノジ酢酸等のアミノ又はイミド化合物、更にはアクリロニトリルと第四級アンモニウム基を有するアクリロニトリルと共重合可能なモノマーの１種又は二種以上とのコポリマー等である。なお、アミノ酸には光学異性体が存在するが、本発明の効果においては光学異性体は関与しない。従って、化学的に合成したアミノ酸を使用することも可能である。
【００６７】
また、本発明のＡ剤及び／又はＢ剤には、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために従来公知の酵素（セルラーゼ、アミラーゼ、プロテアーゼ、リパーゼ）を必要に応じて配合することが好ましい。
【００６８】
また、本発明のＡ剤及び／又はＢ剤には、染料や顔料のような着色剤、香料、シリコーン類、殺菌剤、紫外線吸収剤等の種々の微量添加物を適量配合することが好ましい。
【００６９】
また、上記成分の他に通常添加される公知の成分を添加することができる。低温での液の安定性及び凍結復元性を改善したり、高温での液分離を防止する目的でハイドロトロープ剤を配合することが好ましい。このようなハイドロトロープ剤としては、一般的には、トルエンスルホン酸塩、キシレンスルホン酸塩等に代表される短鎖アルキルベンゼンスルホン酸塩、エタノール、エチレングリコール、プロピレングリコール、ヘキシレングリコール、グリセリン等に代表されるアルコール及び多価アルコール等が好ましい。ハイドロトロープ剤はＡ剤及び／又はＢ剤中に０〜３０質量％程度配合することが好ましい。
【００７０】
＜ｐＨ特性＞
安定性の観点から、Ａ剤の２０℃におけるｐＨは好ましくは１〜７、より好ましくは１〜５、更に好ましくは２〜３．５が好適である。安定性の観点から、Ｂ剤の２０℃におけるｐＨは好ましくは１０以上、より好ましくは１１以上、更に好ましくは１３以上が好適である。シミ汚れなどへの漂白効果を向上させる点から、Ａ剤とＢ剤を質量比で１／３〜３／１の範囲で混合した液のｐＨは好ましくは８以上、より好ましくは９以上、更に好ましくは９．５〜１１が好適である。また混合により発泡することが、泥汚れなどの洗浄効果を高める点で好ましい。
【００７１】
なお、ｐＨは、ｐＨメーター（堀場製作所製  ｐＨ  ＭＥＴＥＲ  Ｆ−１４）を用いて測定する。
【００７２】
＜粘度特性＞
Ａ剤及びＢ剤の２０℃における粘度は、いずれも好ましくは３〜３００ｍＰａ・ｓ、更に好ましくは４〜２００ｍＰａ・ｓの範囲に調整することが好適である。このような粘度に調整するために本発明ではＡ剤及び／又はＢ剤に粘度調整剤を配合することができる。粘度調整剤としては炭素数１〜３のアルキル基、もしくはヒドロキシ基が１〜３個置換していてもよいベンゼンスルホン酸、分子量３０００〜１０００００のポリエチレングリコール又はポリプロピレングリコールを用いることができる。このような粘度調整剤の含有量は、Ａ剤及び／又はＢ剤中、好ましくは０〜１０質量％、更に好ましくは０．０１〜５質量％である。粘度は、Ｂ型粘度計（ブルックフィールド型粘度計［（株）東京計器製］）を用い、Ｎｏ．１ローター、６０ｒｐｍ、２０℃で測定する。
【００７３】
＜２剤型液体漂白剤及び洗浄方法＞
本発明の２剤型液体漂白剤は、上記のＡ剤及びＢ剤を、分離して容器に収容してなる。
【００７４】
色柄物衣類に使用する際に（ｂ）成分が過剰であると、繊維の脱色を引き起こす。従って、適度な発泡を生じ、且つ色柄物を脱色させないために、本発明の２剤型液体漂白剤の使用時における（ａ）成分／（ｂ）成分のモル比は好ましくは１０００／１〜１／１、より好ましくは５００／１〜２／１、更に好ましくは１００／１〜２／１、特に好ましくは１０／１〜２／１が好適である。
【００７５】
本発明の２剤型液体漂白剤は、繊維製品、特には衣料用の漂白洗浄に使用することが好ましい。
【００７６】
本発明の洗浄方法は、上記のＡ剤とＢ剤を、（ａ）成分／（ｂ）成分のモル比が１０００／１〜１／１となるように混合した液を洗浄対象に処理する方法であり、Ａ剤とＢ剤が反応することにより、発泡を伴って洗浄することができる。Ａ剤及びＢ剤を衣類等の洗浄対象に処理する方法としては、塗布する方法が好ましく、塗布する方法としては、（１）予めＢ剤を洗浄対象に塗布し洗浄対象に浸透させた後、Ａ剤を塗布する方法、（２）Ａ剤を塗布した後に、Ｂ剤を塗布する方法、（３）Ａ剤とＢ剤を同時に塗布する方法、（４）Ａ剤とＢ剤を予め混合した後に塗布する方法等が挙げられる。（ｂ）成分を含む液を繊維製品に処理する場合、色柄物衣類を脱色するという課題があるが、本発明では上記何れの方法でも過剰の（ａ）成分とすぐに反応するため脱色は引き起こさない。しかし、（ｂ）成分が（ａ）成分のない状態で色柄物衣類と接する時間が短い方法がより好ましく、安心して色柄物衣類に利用できる観点から、方法（２）、（３）及び（４）が好ましい。泥汚れに対する洗浄力の観点からは、方法（１）又は（２）が、繊維内部に浸透したＢ剤（又はＡ剤）が、続いて塗布されるＡ剤（又はＢ剤）と反応して洗浄対象内部で発泡反応が起こるため好ましい。従って、色柄物衣類を脱色させず、泥汚れに対する洗浄力も高いことから、方法（２）が最も好ましい。洗浄対象としては、繊維製品、特に衣料が好ましい。
【００７７】
本発明の２剤型液体漂白剤は、衣料等の洗浄対象に直接塗布して放置後、水洗する洗浄方法に用いることができる。また、Ａ剤及びＢ剤を衣料等の洗浄対象に直接塗布して放置後、通常の洗濯機での洗濯で従来公知の衣料用洗剤と混合して使用することもできる。塗布した後の放置時間は、０〜１８０分が好ましく、１〜６０分が更に好ましい。あるいはまた、水道水に予めＡ剤又はＢ剤を溶解させた水溶液（好ましくは０．０５〜３０質量％）に衣料等の洗浄対象を浸漬させ、他剤を加えて洗浄することができる。また、本発明の２剤型液体漂白剤は、従来公知の衣料用洗剤と混合して使用することもできる。漂白時に、Ａ剤及び／又はＢ剤を３０〜５０℃に加温することも好ましい。
【実施例】
【００７８】
実施例１〜５及び比較例１〜３
表１に示す組成のＡ剤及びＢ剤をそれぞれ調製した。得られたＡ剤及びＢ剤を表１に示す組合せで用い、下記の方法で発泡性及び靴下泥汚れ洗浄力を評価した。結果を表１に示す。
【００７９】
＜発泡性＞
Ｂ剤３０ｍｌを入れた２００ｍｌビーカーに、Ａ剤３０ｍｌを加え、発泡性を下記基準で評価した。
【００８０】
発泡性の評価基準
◎；直後に、激しく発泡する。
○；発泡する。
△；細かい泡が微量出る。
×；発泡しない
＜靴下泥汚れ洗浄力＞
（1）靴下泥汚れサンプルの調製
二槽式洗濯機（東芝銀河３．６）の洗濯槽に４０Ｌの水道水を入れ、濃度０．０６６７質量％となるように市販粉末洗剤を加えた洗浄液を用いて、白靴下を３回普通洗浄した。その白靴下を土敷のグラウンドで１日１時間以上運動する人が１日間着用したものを収集し、泥汚れの程度で５つのグループに分け、泥汚れの最もひどいグループを用い、洗浄力評価に供した。
【００８１】
（2）靴下泥汚れ洗浄力の評価
二槽式洗濯機（東芝銀河３．６）の洗濯槽に４０Ｌの水道水を入れ、これに１．４ｋｇの綿製の未着用肌着及び０．６ｋｇの綿／ポリエステル混紡の未着用ワイシャツを入れた。更に粉末洗剤を濃度０．０６６７質量％となるように投入した。表中のＡ剤を上記（1）で得られた靴下片足（１片）に対し５ｍｌ塗布し、１０秒間経過後に更にＢ剤を５ｍｌ塗布した。５分間放置後に上記洗濯槽に入れ、１０分間普通洗浄した後、１分間脱水し、８分間１５Ｌ／分の水量の水道水で流水すすぎした。その後５分間脱水し、室内で自然乾燥させ、処理済の試験片を得た。得られた処理済みの試験片に対して、下記の基準により、靴下泥汚れ洗浄力の評価を行った。
【００８２】
靴下泥汚れ洗浄力の評価基準
１：未処理の試験片と比べて、汚れが全て落ちており、満足のいくレベル
２：未処理の試験片と比べて、汚れが僅かに残るが、満足のいくレベル
３：未処理の試験片と比べて、汚れがやや落ちたが、やや不満足なレベル
４：未処理の試験片と比べて、汚れが僅かに落ちた不満足なレベル
５：未処理の試験片と比べて、汚れが全く落ちていない不満足なレベル
【００８３】
【表１】
2010132759.tif 000009